(57)【要約】【課題】  使用開始時に使用者が誤って口紅を出し過ぎて、口紅が折れたりすることを防止できる口紅容器を提供すること。【解決手段】  容器本体を回動操作することにより、口紅を繰り出す口紅容器であって、容器本体は、口紅を収納し、螺合ピンが設けられた中皿体と、中皿体を回転不能かつ上下動可能に案内する内筒体と、中皿体の螺合ピンと係合する螺旋溝が形成され、内筒体の外周で回動することにより中皿体を上下動する螺筒体と、螺筒体の外周に嵌挿される外筒体とを備え、螺筒体は、下部螺筒体と上部螺筒体とに分割され、螺旋溝が整合しない状態と整合する状態とを切り替えることを特徴とする。【選択図】  図１
2019097817.tif 000002
【特許請求の範囲】
【請求項１】
容器本体を回動操作することにより、口紅を繰り出す口紅容器であって、
容器本体は、口紅を収納し、螺合ピンが設けられた中皿体と、中皿体を回転不能かつ上下動可能に案内する内筒体と、中皿体の螺合ピンと係合する螺旋溝が形成され、内筒体の外周で回動することにより中皿体を上下動する螺筒体と、螺筒体の外周に嵌挿される外筒体とを備え、
螺筒体は、下部螺筒体と上部螺筒体とに分割され、螺旋溝が整合しない状態と整合する状態とを切り替え可能とすることを特徴とする口紅容器。
【請求項２】
螺筒体は、外筒体に対して回動調節可能な下部螺筒体と、外筒体に対して回動不能な上部螺筒体とからなることを特徴とする請求項１に記載の口紅容器。
【請求項３】
下部螺筒体は、外筒体から露出する切替操作部を有することを特徴とする請求項１または２に記載の口紅容器。
【請求項４】
切替操作部は、下部螺筒体の下端部に形成された回動可能なダイヤル部であることを特徴とする請求項３に記載の口紅容器。
【発明の詳細な説明】
【技術分野】
【０００１】
本発明は、口紅容器に関し、とくに、硬度が柔らかい口紅を収納する口紅容器に関するものである。
【背景技術】
【０００２】
口紅などの棒状化粧料を収納する円筒状の容器として、容器本体と、容器本体に装着するキャップとを備え、容器本体は、棒状化粧料を収納する中皿体と、中皿体を回転不能かつ上下動可能に収容する内筒体と、内筒体の外周で回動することにより、中皿体を上下動する外筒体とを備え、キャップを外した後、内筒体を把持し、外筒体を回動させることにより、内筒体から棒状化粧料を中皿体の上下動により出没させて使用する繰出容器は、従来から知られている（例えば、特許文献１参照）。
【０００３】
また、棒状化粧品（口紅）を必要以上に繰り出してしまうことによる化粧品折損等の事故を防止するために、カバー（キャップ）を外すと、化粧品受皿（中皿体）と螺筒の螺合体がばねにより上方に規定量押し上げられるようにして、化粧品の繰り出し量を適正量に定めることができ、また少量繰出し操作部材を付設したことにより、化粧品が消耗したときは、この操作部材の螺進操作により簡単にその消耗分が補充できる繰出容器も、従来から知られている（例えば、特許文献２参照）。
【先行技術文献】
【特許文献】
【０００４】
【特許文献１】特開２００４−３４３号公報
【特許文献２】実公昭６４−８３８号公報
【発明の概要】
【発明が解決しようとする課題】
【０００５】
しかし、最近の傾向として、繰出容器に収納される口紅は、硬度が柔らかくなる方向へ進んでいるため、上記特許文献１記載の繰出容器では、使用者が容器から口紅を出し過ぎてしまい、口紅を根元から折ってしまうという問題があった。
また、上記特許文献２記載の繰出容器では、当初の口紅の繰り出し量を化粧するには充分であるが、それ以上不必要に繰り出し過ぎないようにして、口紅折損等の事故を防止できるが、当初の口紅の繰り出し量を調節できないという問題があった。
【０００６】
本発明は、上記問題を解決することを課題とし、使用開始時に使用者が誤って口紅を出し過ぎて、口紅が折れたりすることを防止できる口紅容器を提供することを目的とする。
【課題を解決するための手段】
【０００７】
本発明は、上記の課題を解決するため、口紅容器として、容器本体を回動操作することにより、口紅を繰り出す口紅容器であって、容器本体は、口紅を収納し、螺合ピンが設けられた中皿体と、中皿体を回転不能かつ上下動可能に案内する内筒体と、中皿体の螺合ピンと係合する螺旋溝が形成され、内筒体の外周で回動することにより中皿体を上下動する螺筒体と、螺筒体の外周に嵌挿される外筒体とを備え、螺筒体は、下部螺筒体と上部螺筒体とに分割され、螺旋溝が整合しない状態と整合する状態とを切り替え可能とすることを特徴とする構成を採用する。
【０００８】
本発明の口紅容器の実施形態として、螺筒体は、外筒体に対して回動調節可能な下部螺筒体と、外筒体に対して回動不能な上部螺筒体とからなることを特徴とする構成を採用する。
また、口紅容器の螺筒体の実施形態として、下部螺筒体は、外筒体から露出する切替操作部を有することを特徴とする構成、さらに、切替操作部は、下部螺筒体の下端部に形成された回動可能なダイヤル部であることを特徴とする構成を採用する。
【発明の効果】
【０００９】
本発明の口紅容器は、口紅を収納し、螺合ピンが設けられた中皿体と、中皿体を回転不能かつ上下動可能に案内する内筒体と、中皿体の螺合ピンと係合する螺旋溝が形成され、内筒体の外周で回動することにより中皿体を上下動する螺筒体と、螺筒体の外周に嵌挿される外筒体とを備え、螺筒体が下部螺筒体と上部螺筒体とに分割され、螺旋溝が整合しない状態と整合する状態とを切り替えることにより、使用開始時に使用者が誤って口紅を出し過ぎることがなく、口紅が折れたりすることを防止できる。
【図面の簡単な説明】
【００１０】
【図１】本発明の実施例の口紅容器を示す側面断面図である。
【図２】実施例の口紅容器における使用開始時の状態を示す図で、（ａ）は図１の要部拡大図、（ｂ）は（ａ）のＸ−Ｘ矢視断面図である。
【図３】実施例の口紅容器における螺筒体を示す側面断面図で、（ａ）は下部螺筒体の螺旋溝と上部螺筒体の螺旋溝とが不整合の状態を示す図、（ｂ）は下部螺筒体の螺旋溝と上部螺筒体の螺旋溝とが整合した時の状態を示す図である。
【図４】実施例の口紅容器において、口紅を制限位置まで繰り出した時の状態を示す側面断面図である。
【図５】実施例の口紅容器において、下部螺筒体の螺旋溝と上部螺筒体の螺旋溝とが整合した時の状態を示す図である。
【図６】実施例の口紅容器における下部螺筒体と上部螺筒体とを合致させた時の状態を示す図で、（ａ）は図５の要部拡大図、（ｂ）は（ａ）のＸ−Ｘ矢視断面図である。
【図７】実施例の口紅容器において、口紅を最上位置まで繰り出した時の状態を示す図である。
【発明を実施するための形態】
【００１１】
次に、本発明の口紅容器について、実施例を示した図面を参照して説明する。
なお、以下の説明において、図１（ａ）でみて、上下方向を「軸線方向」とし、上方向を「上」とし、下方向を「下」とする。
【実施例】
【００１２】
図１において、Ａは回動操作することにより、口紅を繰り出す口紅容器の容器本体であり、容器本体Ａは、操作部を構成する外筒体Ｂと、外筒体Ｂの内周に嵌挿される螺筒体Ｃと、外周で螺筒体Ｃを回転可能に支持する内筒体Ｄと、口紅ｋを収納し、内筒体Ｄ内に回転不能かつ上下動可能に収容される中皿体Ｅとを備える。
【００１３】
外筒体Ｂは、円筒状の操作筒１と、操作筒１の上部に嵌着する装着筒２とを備える。
操作筒１は、内周の中ほどに形成された段部４と、段部４を境に下部に形成された下部内周面５と、段部４を境に上部に形成され、下部内周面５よりも拡径された上部内周面６とを有する。
さらに、図２に示すように、操作筒１の下端部内周には、抜け止めのために、摺動凸条７が形成され、内周の対向する２箇所には、規制突部８が形成され、内周の規制突部８が形成された箇所以外の箇所にクリック突部９が形成されている。
【００１４】
装着筒２は、操作筒１の内周上部に回動不能に嵌挿される差し込み筒１１と、装着筒２の略中間部から外方に突出するフランジ部１２と、フランジ部１２より上部がキャップ（図示せず）により着脱されるキャップ装着部１３と、キャップ装着部１３の上端部から縮径する環状突条１４とを有する。
装着筒２の内側には、シール筒１７を回動不能に取り付け、シール筒１７は、弾性材料からなり、上端内周面が内筒体Ｄの外周面に気密で、かつ摺動可能に接触している。
【００１５】
図３に示すように、螺筒体Ｃは、下部螺筒体Ｃ１と、上部螺筒体Ｃ２とに分割されている。
図１および４に示すように、下部螺筒体Ｃ１は、外筒体Ｂの操作筒１の下部内周面５に、後述するように所定角度内で回動可能に嵌挿されているのに対し、上部螺筒体Ｃ２は、操作筒１の上部内周面６に回動不能に嵌挿されている。
【００１６】
図３に示すように、下部螺筒体Ｃ１は、穴あき有底円筒状の本体部２１と、本体部２１の内周面に形成された２条の螺旋溝２６とから構成されている。
図２に示すように、下部螺筒体Ｃ１は、本体部２１の外周下部に形成され、操作筒１の摺動凸条７に摺接する摺動溝２２と、操作筒１の下端部から露出するように、本体部２１の下端部に形成された切替操作部としてのダイヤル部２３と、本体部２１の摺動溝２２の上部に形成され、操作筒１のクリック突部９と対向するクリック受け部２４と、同様に、規制突部８と当接する規制凹部２５とを有し、ダイヤル部２３を回動することにより、下部螺筒体Ｃ１を操作筒１に対して規制凹部２５の範囲内で回動可能としている。
本実施例では、クリック突部９を操作筒１に形成し、これに対向するクリック受け部２４を下部螺筒体Ｃ１に形成しているが、逆にクリック突部９を下部螺筒体Ｃ１に形成し、クリック受け部２４を操作筒１に形成しても構わないし、同様に、規制突部８を下部螺筒体Ｃ１に形成し、これと当接する規制凹部２５を操作筒１に形成しても構わない。
【００１７】
図３に示すように、上部螺筒体Ｃ２は、円筒状の本体部２７と、本体部２７の内周面に形成された２条の螺旋溝２９とから構成されている。
図１および４に示すように、上部螺筒体Ｃ２は、本体部２７の外周に形成され、操作筒１の上部内周面６の回り止め凸部（図示せず）と係合する回り止め凹部２８を有することにより、操作筒１に対して上部螺筒体Ｃ２を回動不能としている。
【００１８】
図１に示すように、内筒体Ｄは、中間部の係止突部３４によって螺筒体Ｃの内側に抜け止めされた状態で、螺筒体Ｃに対して回動自在に設けられている。
内筒体Ｄは、中間部の係止突部３４より上部に位置する収納筒部３１と、係止突部３４より下部に位置するガイド筒部３２とを備え、ガイド筒部３２は、軸線方向に延び、対向する２本のスリット部３３が形成されている。
【００１９】
図１に示すように、中皿体Ｅは、上方に位置し、口紅ｋを収納する円筒状の皿側壁４１と、皿側壁４１の下端部から内方に形成され、中心部が開口するリング状の皿底壁４２と、口紅ｋの下部を中皿体Ｅに保持するために、皿側壁４１の内周面から径方向に突設するとともに、軸線方向に延びる複数本の収納リブ４３と、皿側壁４１の下端部から垂設され、内筒体Ｄのガイド筒部３２の内周面に外周面が摺接する案内筒壁４４とを備える。
【００２０】
図１および２に示すように、案内筒壁４４の外周下端部には、内筒体Ｄのガイド筒部３２に形成されたスリット部３３に摺接する２個の案内ピン４５と、案内ピン４５から下部螺筒体Ｃ１の螺旋溝２６に嵌入する２個の螺合ピン４６が突設されている。
【００２１】
次に、本実施例の使用態様と作用効果について図面を参照しながら説明する。
まず、口紅ｋを使用する際には、図１に示すように、図示しないキャップを容器本体Ａから外した後、内筒体Ｄの収納筒部３１を手指で把持し、外筒体Ｂの操作筒１を内筒体Ｄに対して時計回りに回動すると、操作筒１と一体に嵌挿された螺筒体Ｃを構成する下部螺筒体Ｃ１と上部螺筒体Ｃ２とが一緒に回動する。
すると、中皿体Ｅは、下部螺筒体Ｃ１の螺旋溝２６に係合する螺合ピン４６を突設した案内ピン４５が、ガイド筒部３２のスリット部３３に沿って上昇することにより、図４に示すように、口紅ｋの先端部は、内筒体Ｄの収納筒部３１から突出し、使用することができる。
【００２２】
この際に、使用者が誤って、外筒体Ｂの操作筒１を回動し過ぎたとしても、図１および２に示す初期状態（ダイヤル部２３のマークｍが１を指している状態）では、図３（ａ）に示すように、下部螺筒体Ｃ１の螺旋溝２６と上部螺筒体Ｃ２の螺旋溝２９とは、接続部で不整合状態にあることから、中皿体Ｅの螺合ピン４６は、図４に示す状態から上昇することができず、口紅ｋを内筒体Ｄの収納筒部３１から出し過ぎて、折ってしまうことを防止できる。
このように、下部螺筒体Ｃ１の軸線方向の長さを調整することにより、初期状態での口紅の最大上昇量を調節することができる。
また、本実施例では、螺筒体Ｃを下部螺筒体Ｃ１と上部螺筒体Ｃ２との２段に分割しているが、構造は複雑になるものの、螺筒体Ｃを３段以上に分割することも可能である。
【００２３】
本実施例の口紅容器は、口紅ｋを内筒体Ｄから繰り出して使用することにより、口紅ｋが消耗した場合、図５および６に示すように、外筒体Ｂの操作筒１を手指で把持し、下部螺筒体Ｃ１のダイヤル部２３のマークｍを１から２に合わせるように回動する。
すると、図６（ｂ）に示すように、下部螺筒体Ｃ１のクリック受け部２４は、操作筒１のクリック突部９を乗り越えるとともに、下部螺筒体Ｃ１の規制凹部２５は、操作筒１の規制突部８に当接する。
これと同時に、図３（ｂ）に示すように、下部螺筒体Ｃ１が上部螺筒体Ｃ２に対して回動し、下部螺筒体Ｃ１の螺旋溝２６と上部螺筒体Ｃ２の螺旋溝２９とは、接続部で整合することにより、中皿体Ｅの螺合ピン４６は、図７に示すように、上部螺筒体Ｃ２の螺旋溝２９に係合し、口紅ｋを収納する中皿体Ｅは、軸線方向に上昇することができる。
【００２４】
口紅ｋを使用後、図７に示す状態から口紅ｋを内筒体Ｄの収納筒部３１内に戻す際には、外筒体Ｂの操作筒１を内筒体Ｄに対して反時計回りに回動すると、操作筒１と一体に嵌挿された下部螺筒体Ｃ１と上部螺筒体Ｃ２とが一緒に回動する。
すると、中皿体Ｅは、上部螺筒体Ｃ２の螺旋溝２９に係合する螺合ピン４６が、ガイド筒部３２のスリット部３３に沿って下降することにより、口紅ｋを収納筒部３１内に戻すことができる。
【産業上の利用可能性】
【００２５】
本発明の口紅容器は、使用開始時に使用者が誤って口紅を出し過ぎて、口紅が折れたりすることを防止できるので、最近の柔らかい口紅を収納する口紅容器として好適に利用できる。
【符号の説明】
【００２６】
Ａ              容器本体
Ｂ              外筒体
Ｃ              螺筒体
Ｃ１            下部螺筒体
Ｃ２            上部螺筒体
Ｄ              内筒体
Ｅ              中皿体
ｋ              口紅
ｍ              マーク
１              操作筒
２              装着筒
４              段部
５              下部内周面
６              上部内周面
７              摺動凸条
８              規制突部
９              クリック突部
１１              差し込み筒
１２              フランジ部
１３              キャップ装着部
１４              環状突条
１７              シール筒
２１、２７        本体部
２２              摺動溝
２３              ダイヤル部（切替操作部）
２４              クリック受け部
２５              規制凹部
２６、２９        螺旋溝
２８              回り止め凹部
３１              収納筒部
３２              ガイド筒部
３３              スリット部
３４              係止突部
４１              皿側壁
４２              皿底壁
４３              収納リブ
４４              案内筒壁
４５              案内ピン
４６              螺合ピン
【図１】
2019097817.tif 000003
【図２】
2019097817.tif 000004
【図３】
2019097817.tif 000005
【図４】
2019097817.tif 000006
【図５】
2019097817.tif 000007
【図６】
2019097817.tif 000008
【図７】
2019097817.tif 000009